(57)【要約】【課題】外部短絡が発生した際に一律な単電池層への影響を防止できる積層型電池を提供する。【解決手段】積層型電池１０ａは、発電要素２０、外装体３０および電極端子２４ａ、２７ａを有する。発電要素２０は、負極活物質層２５が集電体上に形成された負極２１と正極活物質層２８が集電体上に形成された正極２２とが、セパレータ２３を介して交互に繰り返して積層されてなる。外装体３０は、発電要素２０が内部に配置される。電極端子２４ａ、２７ａは、一体的にまたは別体として各集電体から延び、相互に電気的に絶縁された状態で外装体３０から導出される。【選択図】図１
2014032937.tif 000002
【特許請求の範囲】
【請求項１】
負極活物質層が集電体上に形成された負極と正極活物質層が集電体上に形成された正極とが、セパレータを介して交互に繰り返して積層されてなる発電要素と、
前記発電要素が内部に配置される外装体と、
一体的にまたは別体として各前記集電体から延び、相互に電気的に絶縁された状態で前記外装体から導出される電極端子と、
を有する積層型電池。
【請求項２】
少なくとも一部の前記電極端子は、前記発電要素の積層方向から見て、重ならない位置において前記外装体から導出される請求項１に記載の積層型電池。
【請求項３】
同極から延びる少なくとも一部の前記電極端子は、絶縁部材を介して相互に絶縁されつつ前記発電要素の積層方向に重ねられた状態で、前記外装体から導出され、
絶縁部材を介して前記積層方向に隣り合う前記電極端子は、異なる長さにより前記外装体外部に導出されている請求項１または請求項２に記載の積層型電池。
【請求項４】
前記負極から延びる前記電極端子および前記正極から延びる前記電極端子は、それぞれ、前記絶縁部材を介して前記積層方向に重ねられた状態で、前記外装体から導出され、
前記負極から延びる前記電極端子は、前記積層方向に沿って一方側に位置するもの程、長く前記外装体外部に延び、
前記正極から延びる前記電極端子は、前記積層方向に沿って前記一方側とは反対側に位置するもの程、長く前記外装体外部に延びる請求項３に記載の積層型電池。
【請求項５】
同極から延びる少なくとも一部の前記電極端子は、前記発電要素の積層方向に重ねられた状態で、前記外装体から導出され、
前記セパレータは、同極から延びる前記電極端子間に位置しつつ、前記電極端子と共に延びて前記外装体外部に導出され、当該電極端子を相互に電気的に絶縁させる請求項１または請求項２に記載の積層型電池。
【請求項６】
前記電極端子が外部負荷と接続されると、前記発電要素は、前記集電体、前記負極活物質層、前記セパレータおよび前記正極活物質層を含む複数の単電池層が並列接続状態となる請求項１〜５のいずれか一項に記載の積層型電池。
【発明の詳細な説明】
【技術分野】
【０００１】
本発明は、積層型電池に関する。
【背景技術】
【０００２】
近年、環境保護を目的とした二酸化炭素排出量の低減のため、電気自動車（ＥＶ）やハイブリッド電気自動車（ＨＥＶ）の導入に大きな注目が集まっている。これらの車両の動力源として、高エネルギー密度、高出力密度が達成できる積層型電池が知られている。
【０００３】
積層型電池は、電力を発生する発電要素と、当該発電要素を内部に配置する外装体とを有する。発電要素は、集電体、負極活物質層、セパレータ、正極活物質層を含む単電池層が複数積層されてなる。複数の集電体にはそれぞれ電極端子が接続され、同極となる電極端子同士が外装体の内部で相互に接続され、リードを介して、外装体外部に導出されている。
【０００４】
外部に導出された異極のリード同士が外装体の外部で接続してしまうと、いわゆる外部短絡状態となり、積層型電池の温度が急激に上昇してしまう。このような急激な温度上昇を防止するために、積層型電池の外部短絡時に、短絡電流による発熱によってリードを溶断し、短絡電流が流れるのを防止する技術も知られている（たとえば、特許文献１参照）。
【先行技術文献】
【特許文献】
【０００５】
【特許文献１】特開２００７−３２８９５２号公報
【発明の概要】
【発明が解決しようとする課題】
【０００６】
しかしながら、上記の従来技術においては、積層型電池が負荷に接続されていないときに、外部短絡が発生すると、発電要素に含まれる単電池層は外装体の内部で接続されているため、積層型電池の全ての単電池層に短絡電流が流れることになる。外部短絡の状態が継続した場合、短絡電流が全ての単電池層に流れ、全ての単電池層が一律に電池機能を喪失または低下してしまうという問題がある。
【０００７】
本発明は、上記事情に鑑みてなされたものであり、外部短絡が発生した際に一律な単電池層への影響を防止できる積層型電池を提供することを目的とする。
【課題を解決するための手段】
【０００８】
本発明の上記目的は、下記の手段によって達成される。
【０００９】
積層型電池は、発電要素、外装体および電極端子を有する。発電要素は、負極活物質層が集電体上に形成された負極と正極活物質層が集電体上に形成された正極とが、セパレータを介して交互に繰り返して積層されてなる。外装体は、発電要素が内部に配置される。電極端子は、一体的にまたは別体として各集電体から延び、相互に電気的に絶縁された状態で外装体から導出される。
【発明の効果】
【００１０】
電極端子が相互に絶縁された状態で外装体から導出するので、外装体外部で電極端子同士が接触して、外部短絡が発生した場合でも、短絡するのは接触した電極端子に関わる単電池層だけとなる。したがって、外部短絡した場合でも、発電要素に含まれる全ての単電池層が電池機能を喪失することがなく、電池機能を維持する残りの単電池層を再利用できる。
【図面の簡単な説明】
【００１１】
【図１】第１実施形態に係る積層型電池の概略構成を示す図である。
【図２】積層型電池に負荷を接続する際の電極端子の様子を示す図である。
【図３】第１実施形態に係る積層型電池の概略回路図である。
【図４】従来の積層型電池の概略回路図である。
【図５】第２実施形態に係る積層型電池の概略構成を示す図である。
【図６】第３実施形態に係る積層型電池の概略構成を示す図である。
【図７】図６のＶＩＩ−ＶＩＩ線に沿った断面図である。
【図８】第４実施形態に係る積層型電池の概略構成を示す図である。
【図９】第５実施形態に係る積層型電池の概略構成を示す図である。
【図１０】第６実施形態に係る積層型電池の概略構成を示す図である。
【図１１】第７実施形態に係る積層型電池の概略構成を示す図である。
【発明を実施するための形態】
【００１２】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００１３】
＜第１実施形態＞
図１は、第１実施形態に係る積層型電池の概略構成を示す図である。図１において、（Ａ）は積層型電池の平面図を示し、（Ｂ）は（Ａ）のＩ−Ｉ線に沿った断面図を示す。
【００１４】
図１に示すように、本実施形態の積層型電池１０ａは、発電要素２０と、外装体３０とを有する。外装体３０は、たとえば、アルミニウム泊が樹脂によりコーティングされたラミネートフィルムを使用した構造体である。２枚のラミネートフィルムにより発電要素２０を両面から包み込み、ラミネートフィルムの外周を熱圧着することによって、外装体３０内に密閉した発電要素２０を得られる。
【００１５】
発電要素２０は、負極２１と正極２２とが、セパレータ２３を介して交互に繰り返して積層されてなる。負極２１は、矩形のシート状の負極集電体２４の両面に形成された負極活物質層２５を有する。負極集電体２４からは、当該負極集電体２４と一体的に、負極端子２４ａ（電極端子）が伸延している。複数の負極端子２４ａは、図１（Ａ）に示すように、発電要素２０の積層方向から見ると、一方の側から、重なるように、外装体３０の外部に導出する。
【００１６】
複数の負極端子２４ａは、図１（Ｂ）に示すように、積層方向の相互間に絶縁部材２６が設けられている。これにより、負極端子２４ａ同士は、外装体３０外部に導出されても相互に電気的に絶縁状態となる。絶縁部材２６は、金属接合が可能な素材により形成される。絶縁部材２６は、外装体３０から導出される部分で負極端子２４ａの表面に熱可塑性樹脂シールを巻き回して形成してもよく、また、負極端子２４ａ間に液状の樹脂接着剤を供給し、固化させて形成してもよい。絶縁部材２６は、段階的に異なる長さを有し、また、負極端子２４ａも同様に段階的に異なる長さを有する。これにより、負極端子２４ａの先端が絶縁部材２６から露出する位置も異なり、負極端子２４ａの先端が相互に接触しない。すなわち、負極端子２４ａは、先端が露出しつつも、絶縁状態が確保されている。
【００１７】
正極２２は、矩形のシート状の正極集電体２７の両面に正極活物質層２８が形成されてなる。正極集電体２７からは、当該正極集電体２７と一体的に、正極端子２７ａ（電極端子）が伸延している。複数の正極端子２７ａは、図１（Ａ）に示すように、発電要素２０の積層方向から見ると、負極端子２４ａとは異なる位置から、外装体３０の外部に導出する。正極端子２７ａは、負極端子２４ａとは、積層方向に見て、異なる位置から導出するので、相互に接触しない。正極端子２７ａ同士は、積層方向から見て、重なる位置で外装体３０から導出する。ただし、正極端子２７ａ同士は、図示しないが、負極端子２４ａ同士と同様に、積層方向の相互間に絶縁部材２６が設けられ、相互の絶縁性が維持されている。第１実施形態では、正極端子２７ａも、負極端子２４ａと同様に、段階的に異なる長さを有し、相互に異なる位置で先端が絶縁部材２６から露出している。これにより、正極端子２７ａ同士も絶縁状態が維持されている。
【００１８】
セパレータ２３は、たとえば、多孔性の絶縁樹脂層であり、外装体３０内に電解液が注入されると、電解液を保持し、負極２１および正極２２の間を導通可能とする。
【００１９】
なお、発電要素２０の両最外層に位置する最外層負極集電体２４には、いずれも片面のみに負極活物質層２５が配置されているが、両面に活物質層が設けられてもよい。すなわち、片面にのみ活物質層を設けた最外層専用の集電体とするのではなく、両面に活物質層がある集電体をそのまま最外層の集電体として用いてもよい。また、図１とは負極２１および正極２２の配置を逆にすることで、発電要素２０の両最外層に最外層正極集電体２７が位置するようにし、該最外層正極集電体２７の片面または両面に正極活物質層２８を配置してもよい。
【００２０】
上述のように、積層型電池１０ａにおいて、同極の電極端子（負極端子２４ａ、正極端子２７ａ）同士は、絶縁状態が維持されている。しかし、積層型電池１０ａに負荷が接続されると、電極端子２４ａ、２７ａは相互に接続状態となる。
【００２１】
図２は、積層型電池に負荷を接続する際の電極端子の様子を示す図である。
【００２２】
図２に示すように、積層型電池１０ａに負荷を接続する場合、外装体３０の外部において露出した負極端子２４ａおよび正極端子２７ａを、それぞれ、バスバー４０により接続できる。バスバー４０は、銅やアルミなどの導電性金属により形成される。図２では、負極端子２４ａ同士を接続するバスバー４０を示す。バスバー４０は、露出した負極端子２４ａの形状と合致するように、階段状に形成される階段部と、重なった負極端子２４ａを階段部と共に挟む支持部とを有する。
【００２３】
負荷を接続する前には、階段部および支持部は、図２の上側に示すように、離間した状態で待機する。負荷に接続するための積層型電池１０ａが設置されると、階段部および支持部は、図２の下側に示すように、相互に接近して、重なった負極端子２４ａを上下から挟むことにより、負極端子２４ａ同士を電気的に接続する。ここで、図示していないが、別のバスバーが正極端子２７ａ同士も相互に電気的に接続できる。バスバー４０が負極端子２４ａおよび正極端子２７ａにそれぞれ接続されることにより、モーター等の外部負荷と積層型電池１０ａとが相互に電気的に接続する。
【００２４】
このように、バスバー４０により負極端子２４ａ同士、正極端子２７ａ同士が電気的に接続されると、発電要素２０において、負極集電体２４、負極活物質層２５、セパレータ２３、正極活物質層２８および正極集電体２７を含む複数の単電池層２９は並列接続状態となる。
【００２５】
次に、第１実施形態の積層型電池１０ａが外部短絡した場合の様子について説明する。
【００２６】
図３は、第１実施形態に係る積層型電池の概略回路図である。図３（Ａ）には、積層型電池の正常時の概略回路図を示し、図３（Ｂ）には、外部短絡発生時の概略回路図を示す。
【００２７】
図３（Ａ）に示すとおり、積層型電池１０ａは、四つの単電池層を含む。単電池層はそれぞれ起電力Ｖ１〜Ｖ４と内部抵抗Ｒ１〜Ｒ４とで表せる。各単電池層は、積層型電池１０ａが負荷に接続している場合には並列接続となり、負荷に接続していない場合には電気的に絶縁された状態となる。
【００２８】
図３（Ａ）に示す状態で外部短絡が発生すると、図３（Ｂ）に示すように、一つの単電池層、たとえば図中最上段の単電池層に短絡抵抗Ｒｓが接続されることになる。ここで、外部短絡とは、積層型電池１０ａの外装体３０の外部において、負極端子２４ａと正極端子２７ａが電気的に接続されることを指す。外部短絡が発生した場合、起電力Ｖ１、内部抵抗Ｒ１、短絡抵抗Ｒｓをつなぐ閉ループが形成され、閉ループに電流が流れる。内部抵抗Ｒ１と短絡抵抗Ｒｓの値は極めて小さいため、流れる電流の値は大きくなる。大きな値の電流が流れ続けると、当該単電池層は電池機能を喪失してしまう。ただし、電池機能を喪失するのは、一つの単電池層のみである。
【００２９】
次に、従来の積層型電池との比較により、第１実施形態の積層型電池１０ａによる効果を説明する。まず、従来の積層型電池の構成について説明する。従来の積層型電池は、同極となる電極端子同士が外装体の内部で相互に接続され、リードを介して、外装体外部に導出されているのが一般的である。
【００３０】
図４は、従来の積層型電池の概略回路図である。図４（Ａ）には、積層型電池の正常時の概略回路図を示し、図４（Ｂ）には、外部短絡発生時の概略回路図を示す。
【００３１】
図４（Ａ）に示すとおり、従来の積層型電池１００は、積層型電池１０ａと同様に四つの単電池層を含むものとする。各単電池層は、外部負荷との接続またはバスバーとの接続の有無にかかわらず外装体内部で既に並列接続となり、電気的に相互に導通可能な状態である。
【００３２】
図４（Ａ）に示す状態で外部短絡が発生すると、図４（Ｂ）に示すように、全ての単電池層に、短絡抵抗Ｒｓが接続されることになり、全ての単電池層に大きな値の電流が流れる。大きな値の電流が流れ続けると、積層型電池１０ａの場合とは異なり、全ての単電池層が一律に電池機能を喪失してしまう。
【００３３】
以上のように、従来の積層型電池１００では全ての単電池層の電池機能が喪失してしまう。これに対し、上述のように、第１実施形態の積層型電池１０ａでは一つの単電池層の電池機能が喪失してしまうに過ぎない。一つの単電池層以外の残りの単電池層は全て電池機能を維持しているので、再利用が可能である。
【００３４】
また、第１実施形態の積層型電池１０ａでは、負極端子２４ａ及び正極端子２７ａがそれぞれ絶縁状態で外装体３０外部に導出されているので、各端子に順次電圧計を接続することにより電池機能を喪失している単電池層２９と電池機能を維持している単電池層２９とを容易に判別できる。
【００３５】
積層型電池１０ａでは、同極から延びる電極端子２４ａ、２７ａが絶縁部材２６を介して相互に絶縁されつつ、発電要素２０の積層方向に重ねられた状態でまとめて外装体３０から導出する。さらに各電極端子２４ａ、２７ａは段階的に異なる長さに形成され、電極端子２４ａ、２７ａの先端が絶縁部材２６から露出する位置が異なる。したがって、絶縁されつつ一箇所にまとめて導出された同極の電極端子２４ａ、２７ａを、バスバー４０により一括して容易に電気的に接続できる。
【００３６】
同極の電極端子２４ａ、２７ａ同士がバスバー４０により電気的に接続されると、単電池層２９が並列接続されるので、たとえば、上記のように外部短絡が発生して単電池層２９の一つが電池機能を喪失しても、残った単電池層２９により外部負荷を駆動できる。
【００３７】
なお、上記第１実施形態では、負極端子２４ａおよび正極端子２７ａを集電体と一体的に形成する場合を説明している。しかし、負極端子２４ａおよび正極端子２７ａは、別体として集電体に接合されてもよい。この場合、負極集電体２４および正極集電体２７に、それぞれ、導通される集電板（不図示）を別体として取り付けて、電極端子として使用できる。
【００３８】
また、上記第１実施形態では、負極端子２４ａおよび正極端子２７ａは、矩形の外装体３０の同じ辺から導出されている。しかし、負極端子２４ａおよび正極端子２７ａは、発電要素２０の積層方向から見て、外装体３０の異なる位置から導出されていればよく、異なる辺から導出されていてもよい。
【００３９】
また、上記実施形態では、発電要素２０が四つの単電池層２９を有する場合について説明したが、これに限定されない。発電要素２０に含まれる単電池層２９の数は、複数であればよく、本発明の技術的思想は、単電池層２９の数によって影響を受けない。
【００４０】
[負極集電体２４および正極集電体２７]
負極集電体２４および正極集電体２７としては、いずれも電池用の集電体材料として従来用いられている部材が適宜採用されうる。一例を挙げると、負極集電体２４および正極集電体２７としては、アルミニウム、ニッケル、鉄、ステンレス鋼（ＳＵＳ）、チタン、または銅が挙げられる。中でも、電子伝導性、電池作動電位という観点からは、負極集電体２４としてはアルミニウムが好ましく、正極集電体２７としては銅が好ましい。
【００４１】
[負極活物質層２５および正極活物質層２８]
負極活物質層２５は、負極活物質を含み、必要に応じて電気伝導性を高めるための導電助剤、バインダ、電解質（ポリマーマトリックス、イオン伝導性ポリマー、電解液など）、イオン伝導性を高めるための電解質支持塩（リチウム塩）などを含む。負極活物質は、たとえば、リチウムの吸蔵、放出が可能な材料であれば特に限定されず、リチウムイオン二次電池に通常用いられる負極活物質を利用することができる。負極活物質には、たとえば、ＳｉやＳｎなどの金属、あるいはＴｉＯ、Ｔｉ２Ｏ３、ＴｉＯ２、もしくはＳｉＯ２、ＳｉＯ、ＳｎＯ２などの金属酸化物、Ｌｉ４／３Ｔｉ５／３Ｏ４もしくはＬｉ７ＭｎＮなどのリチウムと遷移金属との複合酸化物、Ｌｉ−Ｐｂ系合金、Ｌｉ−Ａｌ系合金、Ｌｉ、またはグラファイト、カーボンブラック、活性炭、カーボンファイバー、コークス、ソフトカーボン、もしくはハードカーボンなどの炭素材料などが挙げられる。
【００４２】
正極活物質層２８は、正極活物質を含み、必要に応じて電気伝導性を高めるための導電助剤、バインダ、電解質（ポリマーマトリックス、イオン伝導性ポリマー、電解液など）、イオン伝導性を高めるための電解質支持塩（リチウム塩）などを含む。正極活物質は、たとえば、リチウムの吸蔵、放出が可能な材料であれば特に限定されず、リチウムイオン二次電池に通常用いられる正極活物質を利用することができる。正極活物質には、リチウム−遷移金属複合酸化物が好ましく、ＬｉＭｎ２Ｏ４などのＬｉ−Ｍｎ系複合酸化物、ＬｉＮｉＯ２などのＬｉ−Ｎｉ系複合酸化物、ＬｉＣｏＯ２などのＬｉ−Ｃｏ系複合酸化物、ＬｉＦｅＰＯ４などのＬｉ−Ｆｅ系複合酸化物が挙げられる。
【００４３】
[セパレータ２３および電解質]
セパレータ２３には、電解質を吸収保持ないし担持するポリマーからなる多孔性シートセパレータ、不織布セパレータなどを用いることができる。多孔性シートセパレータとしては、たとえば、ポリエチレン（ＰＥ）、ポリプロピレン（ＰＰ）などのポリオレフィン製微多孔膜、ＰＰ／ＰＥ／ＰＰの３層構造をした積層体、ポリエチレンテレフタレート（ＰＥＴ）、ポリイミドなどが挙げられる。不織布セパレータの材質としては、たとえば、レーヨン、アセテート、ナイロン、ポリエステル、ポリプロピレンやポリエチレンなどのポリオレフィン、ポリイミド、またはアラミド樹脂など従来公知のものを用いることができる。
【００４４】
セパレータ２３に吸収保持される電解質は、たとえば、液体電解質でありうる。液体電解質は、可塑剤である有機溶媒に支持塩であるリチウム塩が溶解した形態を有する。可塑剤として用いられうる有機溶媒としては、たとえば、エチレンカーボネート（ＥＣ）やプロピレンカーボネート（ＰＣ）等のカーボネート類がある。また、支持塩（リチウム塩）としては、無機酸陰イオン塩および有機酸陰イオン塩などである。電解質に特に制限はなく、液体電解質以外にも、高分子ゲル電解質および高分子固体電解質などのポリマー電解質を適宜用いることが可能である。
【００４５】
[外装体３０]
外装体３０としては、ラミネートフィルムが用いられうる。ラミネートフィルムは、たとえば、ポリプロピレン、アルミニウム、ナイロンがこの順に積層されてなる３層構造として構成されうる。なお、外装体３０としては、そのほか従来公知の金属缶ケースを用いてもよい。
【００４６】
上記積層型電池１０ａは、電気自動車、ハイブリッド電気自動車、燃料電池車、ハイブリッド燃料電池自動車などの大容量電源として、高体積エネルギー密度、高体積出力密度が求められる車両駆動用電源や補助電源に好適に利用することができる。
【００４７】
＜第２実施形態＞
第２実施形態の積層型電池について説明する。なお、第１実施形態の積層型電池１０ａと同様の構成については、同じ参照番号を付し、その説明を省略する。
【００４８】
第１実施形態では、発電要素中の集電体から一様の幅により電極端子が伸延している。一方、第２実施形態では、電極端子の一部に切り欠きを形成している。
【００４９】
図５は、第２実施形態に係る積層型電池の概略構成を示す図である。図５において、（Ａ）は積層型電池の平面図を示し、（Ｂ）は（Ａ）のＶ−Ｖ線に沿った断面図を示す。
【００５０】
図５（Ａ）に示すように、積層型電池１０ｂの負極端子２４ａおよび正極端子２７ａの一部には切り欠き５０を形成している。ここで、切り欠き５０は、絶縁部材２６により負極端子２４ａおよび正極端子２７ａが支持されている箇所に形成することが好ましい。積層型電池１０ｂの負極端子２４ａおよび正極端子２７ａに一定値以上の電流が流れると、端子の抵抗発熱によって、切り欠き５０により細くなった部分が溶断し、それ以上電流が流れなくなる。
【００５１】
第２実施形態の積層型電池１０ｂでは、外部短絡が発生した場合、初めは積層型電池１０ａと同様に一つの単電池層２９を含む経路に大きな値の電流が流れる。しかし、一定時間の経過後には、電極端子２４ａ、２７ａの切り欠き５０の部分が溶断することにより、電流を遮断する。
【００５２】
したがって、外部短絡により一つの単電池層２９を含む経路に大電流が流れた場合でも、当該単電池層２９が電池機能を喪失する前に電流を遮断して、単電池層２９を保護できる。
【００５３】
また、図５の積層型電池１０ｂでは切り欠き５０を、絶縁部材２６により支持される位置に設けているので、負極端子２４ａまたは正極端子２７ａが溶断した場合でも、切れ端が絶縁部材２６に保持される。切れ端が垂れて他の端子等に接触し、内部短絡が発生することがない。
【００５４】
＜第３実施形態＞
第３実施形態の積層型電池について説明する。なお、第１実施形態の積層型電池１０ａと同様の構成については、同じ参照番号を付し、その説明を省略する。
【００５５】
第１実施形態では、負極端子２４ａと正極端子２７ａの両方が、積層方向に沿って同方向側に位置するもの程長く延びるように段階的に異なる長さを有する。一方、第３実施形態では、負極端子２４ａまたは正極端子２７ａのいずれか一方が、積層方向に沿って一方側に位置するもの程長く延び、他の一方が上記の一方側の反対側に位置するもの程長く延びるように、段階的に異なる長さを有する。
【００５６】
図６は、第３実施形態に係る積層型電池の概略構成を示す図、図７は、図６のＶＩＩ−ＶＩＩ線に沿った断面図である。図６において、（Ａ）は積層型電池の平面図を示し、（Ｂ）は積層型電池の底面図を示す。
【００５７】
図６（Ａ）および図７に示すように、第３実施形態の積層型電池１０ｃでは、負極端子２４ａは積層方向の下側に位置するもの程長く外装体外部に延び、外装体３０から遠い位置で先端が露出している。一方、図６（Ｂ）および図７に示すように、正極端子２７ａは積層方向の上側に位置するもの程長く外装体３０外部に延び、外装体３０から遠い位置で先端が露出している。このように負極端子２４ａと正極端子２７ａとでは、導出される長さの順が逆になっている。
【００５８】
したがって、積層方向において略同じ位置にある負極端子２４ａと正極端子２７ａは、相互に異なる長さで外装体３０から導出することになり、先端が露出する位置も異なる。結果として、負極端子２４ａと正極端子２７ａがより接触しにくくなり、外部短絡の発生を一層低減できる。
【００５９】
＜第４実施形態＞
第４実施形態の積層型電池について説明する。なお、第１実施形態の積層型電池１０ａと同様の構成については、同じ参照番号を付し、その説明を省略する。
【００６０】
第１実施形態では、負極端子２４ａおよび正極端子２７ａは、積層方向に沿って一方側に位置するもの程長く延びるように段階的に異なる長さを有する。一方、第４実施形態では、負極端子２４ａおよび正極端子２７ａは、積層方向の中央に位置するもの程長く延びるように段階的に異なる長さを有する。
【００６１】
図８は、第４実施形態に係る積層型電池の概略構成を示す図である。図８において、（Ａ）は積層型電池の平面図を示し、（Ｂ）は（Ａ）のＶＩＩＩ−ＶＩＩＩ線に沿った断面図を示す。
【００６２】
図８（Ａ）、（Ｂ）に示すように、第４実施形態の積層型電池１０ｄでは、負極端子２４ａは積層方向の下側から中央に向かう程長く外装体３０外部に延び、中央から上側に向かう程短く外装体３０外部に延びる。たとえば、積層方向の最上段と最下段の負極端子２４ａは、略同じ長さで他の負極端子２４ａよりも短く延びている。正極端子２７ａについても同様に、中央程長く外装体３０の外部に延びる。
【００６３】
このように、積層方向の中央を長さのピークとして、負極端子２４ａおよび正極端子２７ａの導出長さを調整すれば、合致するバスバー４０も積層方向の中央に対称に形成できる。バスバー４０の形状が対称となるので、安定的にバスバー４０を接続可能となる。
【００６４】
なお、第４実施形態では電極端子２４ａ、２７ａの長さのピークが中央に一ヶ所だけある場合を説明したが、これに限定されない。複数の長さのピークを設けてもよい。
【００６５】
＜第５実施形態＞
第５実施形態の積層型電池について説明する。なお、第１実施形態の積層型電池１０ａと同様の構成については、同じ参照番号を付し、その説明を省略する。
【００６６】
第１実施形態では、セパレータは、他の負極活物質層等の構成と同様に、外装体内にのみ配置されている。一方、第５実施形態では、セパレータは、電極端子と共に外装体外部に導出する。
【００６７】
図９は、第５実施形態に係る積層型電池の概略構成を示す図である。図９において、（Ａ）は積層型電池の平面図を示し、（Ｂ）は（Ａ）のＩＸ−ＩＸ線に沿った断面図を示す。
【００６８】
図９（Ｂ）に示すように、第５実施形態の積層型電池１０ｅでは、負極端子２４ａ側に注目すると、当該負極端子２４ａが外装体３０から導出される部分において、負極端子２４ａ間にセパレータ２３が位置する。セパレータ２３は、発電要素２０から負極端子２４ａと共に伸延し、負極端子２４ａの間に挟まって外装体３０外部に導出している。負極端子２４ａとセパレータ２３とは、外装体３０から導出される部分において、樹脂接着剤等により相互に固定し合う。これにより、セパレータ２３と負極端子２４ａとの位置がずれない。図９（Ａ）、（Ｂ）に示すように、負極端子２４ａおよびセパレータ２３は、積層方向に沿って下側に位置する程長く伸延している。これにより、段階的に外装体３０から遠い位置で、負極端子２４ａの先端が露出し、負極端子２４ａの先端同士が接触しない。
【００６９】
負極端子２４ａの場合と同様に、正極端子２７ａが外装体３０から導出される部分においても、正極端子２７ａ間にセパレータ２３が位置する。
【００７０】
以上のように、外装体３０から導出する部分において、負極端子２４ａ間および正極端子２７ａ間にセパレータ２３が位置するので、負極端子２４ａ同士および正極端子２７ａ同士を絶縁状態で外装体３０外部に導出できる。
【００７１】
なお、図９では、負極端子２４ａおよび正極端子２７ａが積層方向に沿って一方側程長く伸延している。しかし、図６、図７の第３実施形態のように、長く伸延する順序が逆でもよく、また図８の第４実施形態のように、積層方向の中央ほど長く伸延してもよい。
【００７２】
＜第６実施形態＞
第６実施形態の積層型電池について説明する。なお、第１実施形態の積層型電池１０ａと同様の構成については、同じ参照番号を付し、その説明を省略する。
【００７３】
第１実施形態では、負極端子２４ａ同士および正極端子２７ａ同士は、発電要素２０の積層方向から見て、それぞれ同じ位置から外装体３０外部に導出している。一方、第６実施形態では、発電要素２０の積層方向から見て、負極端子２４ａおよび正極端子２７ａの少なくとも一部は、重ならない位置から外装体３０外部に導出する。
【００７４】
図１０は、第６実施形態に係る積層型電池の概略構成を示す図である。図１０において、（Ａ）は積層型電池の平面図を示し、（Ｂ）は（Ａ）のＸ−Ｘ線に沿った断面図を示す。
【００７５】
図１０（Ａ）、（Ｂ）に示すように、第６実施形態では、負極端子２４ａは積層型電池１０ｆの左側から、正極端子２７ａは積層型電池１０ｆの右側から、外装体３０外部に導出している。しかも、図１０（Ａ）に示すように、平面で見ると、負極端子２４ａは外装体３０の一辺の３ヶ所から導出し、正極端子２７ａは外装体３０の一辺の２ヶ所から導出している。
【００７６】
このように、負極端子２４ａ同士および正極端子２７ａ同士もそれぞれ分離して外装体３０外部に導出することにより、電極端子２４ａ、２７ａ相互の絶縁性を向上できる。また、同極の電極端子２４ａ、２７ａ同士も分離して外装体から導出するので、重なって導出される電極端子２４ａ、２７ａの数が少なくなり、厚みも小さくなる。外装体３０から引き出される厚みが小さくなるので、外装体３０の外周を密閉し易い。
【００７７】
＜第７実施形態＞
第７実施形態の積層型電池について説明する。なお、第１実施形態の積層型電池１０ａと同様の構成については、同じ参照番号を付し、その説明を省略する。
【００７８】
第１実施形態では、負極端子２４ａ同士および正極端子２７ａ同士は、発電要素２０の積層方向に見て、それぞれ同じ位置から外装体３０外部に導出している。一方、第７実施形態では、負極端子２４ａ同士および正極端子２７ａ同士は、それぞれ異なる位置から外装体３０外部に導出する。
【００７９】
図１１は、第７実施形態に係る積層型電池の概略構成を示す図である。図１１において、（Ａ）は積層型電池の平面図を示し、（Ｂ）は（Ａ）のＸＩ−ＸＩ線に沿った断面図を示す。
【００８０】
図１１（Ａ）、（Ｂ）に示すように、第７実施形態では、負極端子２４ａは積層型電池１０ｇの左側および奥側から、正極端子２７ａは積層型電池１０ｇの右側および手前側から、外装体３０外部に導出している。しかも、図１１（Ａ）に示すように、平面で見ると、負極端子２４ａは、外装体３０の左辺の２ヶ所、奥辺（上辺）の３ヶ所から導出し、正極端子２７ａは外装体３０の右辺の２ヶ所、手前辺（下辺）の２ヶ所から導出している。
【００８１】
このように、負極端子２４ａ同士および正極端子２７ａ同士もそれぞれ分離し、さらに異なる辺からも外装体３０の外部に導出するので、第６実施形態よりも、重なって導出される電極端子２４ａ、２７ａの数が少なくなり、さらに厚みも小さくできる。外装体３０の全ての辺を有効に活用して電極端子２４ａ、２７ａを外装体３０から導出するため、積層する単電池層２９の数が増えた場合でも、電極端子２４ａ、２７ａを外装体３０から導出する部分の厚みを減少できる。外装体３０から引き出される厚みが小さくなるので、外装体３０の外周を一層密閉し易い。
【符号の説明】
【００８２】
１０ａ、１０ｂ、１０ｃ、１０ｄ、１０ｅ、１０ｆ、１０ｇ  積層型電池、
２０  発電要素、
２１  負極、
２２  正極、
２３  セパレータ、
２４  負極集電体、
２４ａ  負極端子、
２５  負極活物質層、
２６  樹脂層、
２７  正極集電体、
２７ａ  正極端子、
２８  正極活物質層、
２９  単電池層、
３０  外装体、
４０  バスバー、
５０  切り欠き、
１００  積層型電池。
【図１】
2014032937.tif 000003
【図２】
2014032937.tif 000004
【図３】
2014032937.tif 000005
【図４】
2014032937.tif 000006
【図５】
2014032937.tif 000007
【図６】
2014032937.tif 000008
【図７】
2014032937.tif 000009
【図８】
2014032937.tif 000010
【図９】
2014032937.tif 000011
【図１０】
2014032937.tif 000012
【図１１】
2014032937.tif 000013